(57)【特許請求の範囲】
【請求項１】
光学フィルム表面に、基材フィルムおよび粘着剤層を有する表面保護フィルムが当該表面保護フィルムの粘着剤層を介して設けられている、表面保護フィルム付光学フィルムにおいて、
前記粘着剤層に接する光学フィルム表面は、ケン化処理、コロナ処理、ＵＶ処理、電子線処理、およびプラズマ処理からなる群より選択される処理により活性化処理されており、
前記表面保護フィルムの粘着剤層は、イオン系帯電防止剤を、該粘着剤層中のベースポリマーに対して、０．１から１重量％の範囲で含有しており、
前記表面保護フィルムが剥離された際に、前記光学フィルム表面に転写される帯電防止剤の量が０．００００１〜０．０６ｇ／ｍ2であること
を特徴とする表面保護フィルム付光学フィルム。
【請求項２】
前記イオン系帯電防止剤が、４級アンモニウム塩型のカチオン系帯電防止剤であることを特徴とする請求項１記載の表面保護フィルム付光学フィルム。
【請求項３】
前記粘着剤層を形成する粘着剤が、アクリル系粘着剤であることを特徴とする請求項１または２のいずれか１項に記載の表面保護フィルム付光学フィルム。
【請求項４】
請求項１〜３のいずれか１項に記載の表面保護フィルム付光学フィルムを用いた画像表示装置。
【発明の詳細な説明】
【技術分野】
【０００１】
本発明は、光学フィルム表面に保護フィルムが設けられている表面保護フィルム付光学フィルムに関する。さらには当該表面保護フィルム付光学を用いた液晶表示装置、有機ＥＬ表示装置、ＰＤＰ等の画像表示装置に関する。前記光学フィルムとしては、偏光板、位相差板、光学補償フィルム、輝度向上フィルム、さらにはこれらが積層されているものなどがあげられる。
【背景技術】
【０００２】
液晶ディスプレイ等は、その画像形成方式から液晶セルの両側に偏光素子を配置することが必要不可欠であり、一般的には偏光板が貼着されている。また液晶パネルには偏光板の他に、ディスプレイの表示品位を向上させるために様々な光学素子が用いられるようになってきている。例えば、着色防止としての位相差板、液晶ディスプレイの視野角を改善するための視野角拡大フィルム、さらにはディスプレイのコントラストを高めるための輝度向上フィルム等が用いられる。これらのフィルムは総称して光学フィルムと呼ばれる。
【０００３】
これらの光学フィルムは、通常、消費者に届けられるまでの間は輸送や製造工程において光学フィルムの表面に傷や汚れがつかないように、その表面に保護フィルムが貼り合わされている。当該表面保護フィルムは、ＬＣＤ等に貼り付けられた後に剥離されたり、一度剥離した後に同じ又は別の表面保護フィルムを再度貼り合せる場合もある。そして、該表面保護フィルムを剥離する際に静電気が発生し、この静電気によってＬＣＤパネル等の回路が破壊されるという問題があった。またＬＣＤパネル内部のアレイ素子（ＴＦＴ駆動素子）に影響を与えて、それがさらに液晶の配向に影響を与えて不良を誘発する問題があった。また表面保護フィルムは剥離する際のみならず、製造工程や消費者の使用方法によっても光学フィルム同士の摩擦により同様の問題が発生する。
【０００４】
前記液晶表示装置の誤作動およびＴＦＴ駆動素子の静電破壊などを十分に抑制するために、偏光板等の光学フィルムに帯電防止性を付与することが提案されている。たとえば、偏光板としては、通常、偏光子の両側にトリアセチルセルロースフィルム等の保護フィルムを設けたものが用いられるため、当該偏光子の保護フィルムとして用いるトリアセチルセルロースフィルムに帯電防止層を設けることが提案されている（特許文献１参照）。しかし、トリアセチルセルロースフィルムに帯電防止層を形成する場合には、保護フィルムの製造工程が増え、歩留りの低下を招き好ましくない。
【０００５】
一方、光学フィルムに適用する表面保護フィルムに粘着剤層の他に帯電防止層を形成することも提案されている。しかし、表面保護フィルムに帯電防止層を形成する場合には、前記同様に表面保護フィルムの製造工程が増え、歩留りの低下を招き好ましくない。また一般的な粘着テープの粘着剤層中に帯電防止剤を添加して、粘着テープそのものに帯電防止効果を付与することが提案されている（特許文献２、特許文献３参照）。かかる粘着テープは、剥離帯電発生箇所で直接帯電防止することができる。しかし、当該粘着テープは、帯電部防止剤のブリードアウトにより、被着体を汚染する問題があった。光学フィルムは、特に、表面の汚染が問題になるため、前記粘着テープを光学フィルム用の表面保護フィルムに適用することはできない。
【特許文献１】特開平１１−９００３８号公報
【特許文献２】特開８−２５３７５５号公報
【特許文献３】特開９−２５５９３２号公報
【発明の開示】
【発明が解決しようとする課題】
【０００６】
本発明は、光学フィルム表面に表面保護フィルムが設けられている表面保護フィルム付光学フィルムであって、表面保護フィルムを光学フィルムから剥離する際に発生する剥離帯電量を低減でき、かつ表面保護フィルムを剥離した後の光学フィルム表面の汚染性の問題のない、表面保護フィルム付光学フィルムを提供することを目的とする。
【０００７】
また本発明は、当該表面保護フィルム付光学フィルムを用いた画像表示装置を提供することを目的とする。
【課題を解決するための手段】
【０００８】
本発明者らは前記課題を解決すべく鋭意検討を重ねた結果、下記表面保護フィルム付光学フィルムを見出し、本発明を完成するに至った。
【０００９】
すなわち本発明は、光学フィルム表面に、基材フィルムおよび粘着剤層を有する表面保護フィルムが当該表面保護フィルムの粘着剤層を介して設けられている、表面保護フィルム付光学フィルムにおいて、
前記粘着剤層に接する光学フィルム表面は、活性化処理されており、
前記表面保護フィルムの粘着剤層は、イオン系帯電防止剤を含有していることを特徴とする表面保護フィルム付光学フィルム、に関する。
【００１０】
表面保護フィルムの粘着剤層がイオン系帯電防止剤を含有する場合には、粘着剤層表面の帯電防止剤は光学フィルム表面に転写され、表面保護フィルムの剥離時に発生する剥離帯電を防止して、静電気による不具合を抑えることができる。また粘着剤に加える帯電防止剤の添加量を増加させれば、帯電防止剤は初期の転写量に加えて粘着剤中からもブリードアウトしてくるため帯電防止効果は向上する。しかし、帯電防止剤の転写量（ブリードアウト量）が多くなると、光学フィルム表面の汚染性が大きく、光学特性に不具合を生じる。また帯電防止剤の転写量により粘着性の変動、低下も発生する。一方、粘着剤に加える帯電防止剤の添加量が少ない場合には、汚染の問題はなく汚染の制御は容易になるが、十分な帯電防止効果は得られない。
【００１１】
上記本発明では、表面保護フィルムの粘着剤層に帯電防止剤を含有させるとともに、光学フィルム表面を活性化処理したものを用いることにより、前記粘着剤層中に添加されている帯電防止剤の量が少ない場合にも、帯電防止剤を適量転写させることができる。このように本発明では帯電防止剤の転写量を効率よく転写できるため、光学フィルム表面に帯電防止効果を付与し、かつ光学フィルムの表面汚染性を制御することができる。また帯電防止剤の転写量を制御できることから粘着性の変動、低下も抑えられる。
【００１２】
前記表面保護フィルム付光学フィルムにおいて、光学フィルム表面の結合性を改善するための活性化処理としては、フィルム表面を酸化するような化学的または物理的処理が好ましく、例えば、ケン化処理またはコロナ処理であることが好ましい。
【００１３】
前記表面保護フィルム付光学フィルムにおいて、表面保護フィルムが剥離された際に、光学フィルム表面に転写される帯電防止剤の量は、０．００００１〜０．０６ｇ／ｍ2であることが好ましい。
【００１４】
帯電防止剤の転写量は、帯電防止効果の点からは、０．００００１ｇ／ｍ2以上、さらには０.０００１ｇ／ｍ2以上、さらには０.００１ｇ／ｍ2以上であるのが好ましい。一方、汚染性の点からは、０．０６ｇ／ｍ2以下、さらには０.０３ｇ／ｍ2以下、さらには０.０１ｇ／ｍ2以下であるのが好ましい。
【００１５】
また本発明は、前記表面保護フィルム付光学フィルムを用いた画像表示装置、に関する。
【発明を実施するための最良の形態】
【００１６】
本発明の表面保護フィルム付光学フィルムは、図１に示すように、表面保護フィルム１が光学フィルム２の表面ａに設けられている。表面保護フィルム１は、基材フィルム１１および粘着剤層１２を有し、当該粘着剤層１２を介して光学フィルム２の表面ａに設けられている。光学フィルム２の表面ａは活性化処理されている。
【００１７】
図１は、光学フィルム２として、偏光子２１の両側に保護フィルム２２、２３が設けられた場合を例示した場合である。保護フィルム２２の表面が、光学フィルム２の表面ａになる。なお、図１に示すように、光学フィルム２の表面保護フィルム１を設けない側には粘着剤層３を設けることができる。
【００１８】
表面保護フィルムの基材フィルムとしては、従来より表面保護フィルムに使用されているものを特に制限なく使用することができる。一般的には、透視による光学フィルムの検査性や管理性などの観点から、等方性を有する又は等方性に近いフィルム材料が選択される。そのフィルム材料としては、例えば、やポリエチレンテレフタレートフィルム等のポリエステル系樹脂、セルロース系樹脂、アセテート系樹脂、ポリエーテルサルホン系樹脂、ポリカーボネート系樹脂、ポリアミド系樹脂、ポリイミド系樹脂、ポリオレフィン系樹脂、アクリル系樹脂のような透明なポリマーがあげられる。これらのなかでもポリエステル系樹脂が好ましい。基材フィルムは、１種または２種以上のフィルム材料のラミネート体として用いることもでき、また前記フィルムの延伸物を用いることもできる。基材フィルムの厚さは、一般的には、５００μｍ以下、好ましくは１０〜２００μｍである。
【００１９】
表面保護フィルムの粘着剤層を形成する粘着剤としては、アクリル系、合成ゴム系、ゴム系、シリコーン系等のいずれの粘着剤を使用することもできるが、透明性、耐候性、耐熱性などの観点から、アクリル系ポリマーをベースポリマーとするアクリル系粘着剤が好ましい。アクリル系ポリマーの重量平均分子量は、３０万〜２５０万程度であるのが好ましい。
【００２０】
アクリル系ポリマーに使用されるモノマーとしては、各種（メタ）アクリル酸アルキルを使用できる。たとえば、（メタ）アクリル酸アルキルエステル（例えば、メチルエステル、エチルエステル、プロピルエステル、ブチルエステル、２−エチルヘキシルエステル、イソオクチルエステル、イソノニルエステル、イソデシルエステル、ドデシルエステル、ラウリルエステル、トリデシルエステル、ペンタデシルエステル、ヘキサデシルエステル、ヘプタデシルエステル、オクタデシルエステル、ノナデシルエステル、エイコシルエステル等の炭素数１〜２０アルキルエステル）を例示でき、これらを単独もしくは組合せて使用できる。
【００２１】
また、得られるアクリル系ポリマーの改質剤として、前記（メタ）アクリル酸アルキルエステルとともに、（メタ）アクリル酸、イタコン酸等のカルボキシル基含有単量体；（メタ）アクリル酸ヒドロキシエチル、（メタ）アクリル酸ヒドロキシプロピル等のヒドロキシル基含有単量体；Ｎ−メチロールアクリルアミド等のアミド基含有単量体；（メタ）アクリロニトリル等のシアノ基含有単量体；（メタ）アクリル酸グリシジル等のエポキシ基含有単量体；酢酸ビニル等のビニルエステル類；スチレン、α−メチルスチレン等のスチレン系単量体などを共重合モノマーとして用いることができる。
【００２２】
なお、アクリル系ポリマーの重合法は特に制限されず、溶液重合、乳化重合、懸濁重合、ＵＶ重合などの公知の重合法を採用できる。
【００２３】
前記粘着剤は、イオン系帯電防止剤を含有する。イオン系帯電防止剤としては、カチオン系（例えば、４級アンモニウム塩型、ホスホニウム塩型、スルホニウム塩型等）、アニオン系（カルボン酸型、スルホネート型、サルフェート型、ホスフェート型、ホスファイト型等）、両性イオン系（スルホベタイン型、アルキルベタイン型、アルキルイミダゾリウムベタイン型等）があげられる。
【００２４】
これらのなかでも、カチオン系、特に４級アンモニウム塩型が好ましい。４級アンモニウム塩型のカチオン系帯電防止剤としては、例えば、
一般式：［（Ｒ1，Ｒ2，Ｒ3，Ｒ4）‐Ｎ］+Ｘ‐
（式中、Ｒ1，Ｒ2，Ｒ3，Ｒ4はそれぞれ独立に炭素数１〜１８のアルキル基または水素原子を示す。但し、Ｒ1〜Ｒ4のすべてが水素原子であることはない。Ｘはハロゲン原子等の塩基を示す。）で表される化合物があげられる。
【００２５】
粘着剤中に添加するイオン系帯電防止剤の添加量は、ベースポリマーに対して、０．１〜２．５重量％程度未満であるのが好ましい。より好ましくは０．５〜１重量％である。０．１重量％未満では帯電防止効果が不十分になる傾向がある。２．５重量％以上では転写量が多くなり、帯電防止効果と汚染性、粘着性能の制御が困難になる場合がある。
【００２６】
また前記粘着剤には、架橋剤を含有することができる。架橋剤としては、ポリイソシアネート化合物、ポリアミン化合物、メラミン樹脂、尿素樹脂、エポキシ樹脂等があげられる。さらに前記粘着剤には、必要に応じて、粘着性付与樹脂、可塑剤、充填剤、酸化防止剤、紫外線吸収剤、シランカップリング剤等を適宜に使用することもできる。
【００２７】
粘着剤層の形成方法は、特に制限されず、剥離ライナに粘着剤を塗布し、乾燥後、基材フィルムに転写する方法（転写法）、基材フィルムに、直接、粘着剤を塗布、乾燥する方法（直写法）等があげられる。粘着剤層の厚さ（乾燥膜厚）は、必要とされる粘着力に応じて決定される。通常１〜１００μｍ程度、好ましくは５〜５０μｍである。
【００２８】
なお、図１では表面保護フィルム１として、基材フィルム１１と粘着剤層１２のみを示しているが、表面保護フィルム１には、基材フィルム１１における粘着剤層１２を設けた面の反対面に、シリコーン処理、長鎖アルキル処理、フッ素処理などの低接着性材料により、剥離処理層を設けることができる。
【００２９】
本発明の表面保護フィルム付光学フィルムに使用される光学フィルムとしては、液晶表示装置等の画像表示装置の形成に用いられるものが使用され、その種類は特に制限されない。
【００３０】
前記光学フィルムは、表面保護フィルムの粘着剤層に接する表面が活性化処理されたものが用いられる。活性化処理としては、ケン化処理、コロナ処理、ＵＶ処理、電子線処理、プラズマ処理等があげられる。活性化処理としては、ケン化処理、コロナ処理が好ましい。
【００３１】
ケン化処理には水酸化ナトリウム水溶液や水化カリウム水溶液等の水酸化アルカリ水溶液が用いられる。ケン化処理は、光学フィルムの表面を、水酸化アルカリ水溶液中を通過または浸漬させることにより行なう。これら水酸化アルカリ水溶液の濃度は２〜２５重量％程度が好ましい。水酸化アルカリ水溶液の濃度は、処理時間や活性状態の制御の容易さから、７〜１５重量％が好ましい。処理条件は、２０〜８０℃程度、さらには４０〜７０℃で、５〜３００秒間程度、さらには５〜２４０秒間行なうのが好ましい。
【００３２】
コロナ処理は、特に制限ないが、光学フィルム表面にかかる熱量負荷等を考慮すれば、たとえば、２〜４０ｍ／ｍｉｎで搬送する光学フィルムに対して、０．３〜２０ｋＷ程度の処理を行なうのが好ましい。
【００３３】
光学フィルムとしては偏光板があげられる。偏光板は偏光子の片面または両面には透明保護フィルムを有するものが一般に用いられる。かかる偏光板では当該保護フィルム表面に前記活性化処理が施される。
【００３４】
偏光子は、特に限定されず、各種のものを使用できる。偏光子としては、たとえば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料の二色性物質を吸着させて一軸延伸したもの、ポリビニルアルコールの脱水処理物やポリ塩化ビニルの脱塩酸処理物等ポリエン系配向フィルム等があげられる。これらの中でも、ポリビニルアルコール系フィルムとヨウ素などの二色性物質からなる偏光子が好適である。これらの偏光子の厚さは特に制限されないが、一般的に５〜８０μｍ程度である。
【００３５】
ポリビニルアルコール系フィルムをヨウ素で染色し一軸延伸した偏光子は、たとえば、ポリビニルアルコールをヨウ素の水溶液に浸漬することによって染色し、元長の３〜７倍に延伸することで作成することができる。必要に応じてホウ酸や硫酸亜鉛、塩化亜鉛等を含んでいても良いヨウ化カリウムなどの水溶液に浸漬することもできる。さらに必要に応じて染色前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸しても良いし、また延伸してからヨウ素で染色しても良い。ホウ酸やヨウ化カリウムなどの水溶液や水浴中でも延伸することができる。
【００３６】
前記偏光子の片面または両面に設けられる透明保護フィルムを形成する材料としては、透明性、機械的強度、熱安定性、水分遮断性、等方性などに優れるものが好ましい。例えば、ポリエチレンテレフタレートやポリエチレンナフタレート等のポリエステル系ポリマー、ジアセチルセルロースやトリアセチルセルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、または前記ポリマーのブレンド物なども前記透明保護フィルムを形成するポリマーの例としてあげられる。透明保護フィルムは、アクリル系、ウレタン系、アクリルウレタン系、エポキシ系、シリコーン系等の熱硬化型、紫外線硬化型の樹脂の硬化層として形成することもできる。
【００３７】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／または非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。
【００３８】
保護フィルムの厚さは、適宜に決定しうるが、一般には強度や取扱性等の作業性、薄膜性などの点より１〜５００μｍ程度である。特に、５〜２００μｍが好ましい。
【００３９】
また、保護フィルムは、できるだけ色付きがないことが好ましい。従って、Ｒｔｈ＝［（ｎｘ＋ｎｙ）／２−ｎｚ］・ｄ（ただし、ｎｘ、ｎｙはフィルム平面内の主屈折率、ｎｚはフィルム厚方向の屈折率、ｄはフィルム厚みである）で表されるフィルム厚み方向の位相差が−９０ｎｍ〜＋７５ｎｍである保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）はほぼ解消することができる。厚み方向位相差（Ｒｔｈ）は、さらに好ましくは−８０ｎｍ〜＋６０ｎｍ、特に−７０ｎｍ〜＋４５ｎｍが好ましい。
【００４０】
保護フィルムとしては、偏光特性や耐久性などの点より、トリアセチルセルロース等のセルロース系ポリマーが好ましい。特にトリアセチルセルロースフィルムが好適である。なお、偏光子の両側に保護フィルムを設ける場合、その表裏で同じポリマー材料からなる保護フィルムを用いても良く、異なるポリマー材料等からなる保護フィルムを用いても良い。前記偏光子と保護フィルムとは通常、水系接着剤等を介して密着している。水系接着剤としては、イソシアネート系接着剤、ポリビニルアルコール系接着剤、ゼラチン系接着剤、ビニル系ラテックス系、水系ポリウレタン、水系ポリエステル等を例示できる。
【００４１】
前記透明保護フィルムの偏光子を接着させない面には、ハードコート層や反射防止処理、スティッキング防止や、拡散ないしアンチグレアを目的とした処理を施したものであっても良い。保護フィルムに設けた処理層が偏光板表面になる場合には、かかる処理層に前記活性化処理が施される。
【００４２】
ハードコート処理は偏光板表面の傷付き防止などを目的に施されるものであり、例えばアクリル系、シリコーン系などの適宜な紫外線硬化型樹脂による硬度や滑り特性等に優れる硬化皮膜を透明保護フィルムの表面に付加する方式などにて形成することができる。反射防止処理は偏光板表面での外光の反射防止を目的に施されるものであり、従来に準じた反射防止膜などの形成により達成することができる。また、スティッキング防止処理は他の部材の隣接層との密着防止を目的に施される。
【００４３】
また、アンチグレア処理は偏光板の表面で外光が反射して偏光板透過光の視認を阻害することの防止等を目的に施されるものであり、例えばサンドブラスト方式やエンボス加工方式による粗面化方式や透明微粒子の配合方式などの適宜な方式にて透明保護フィルムの表面に微細凹凸構造を付与することにより形成することができる。前記表面微細凹凸構造の形成に含有させる微粒子としては、例えば平均粒径が０．５〜５０μｍのシリカ、アルミナ、チタニア、ジルコニア、酸化スズ、酸化インジウム、酸化カドミウム、酸化アンチモン等からなる導電性の場合もある無機系微粒子、架橋又は未架橋のポリマー等からなる有機系微粒子（ビーズを含む）などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は、偏光板透過光を拡散して視覚などを拡大するための拡散層（視覚拡大機能など）を兼ねるものであっても良い。
【００４４】
なお、前記反射防止層、スティッキング防止層、拡散層やアンチグレア層等は、透明保護フィルムそのものに設けることができるほか、別途光学層として透明保護フィルムとは別体のものとして設けることもできる。
【００４５】
また光学フィルムとしては、例えば反射板や反透過板、位相差板（１／２や１／４等の波長板を含む）、視覚補償フィルム、輝度向上フィルムなどの液晶表示装置等の形成に用いられることのある光学層となるものがあげられる。これらは単独で光学フィルムとして用いることができる他、前記偏光板に、実用に際して積層して、１層または２層以上用いることができる。
【００４６】
特に、偏光板に更に反射板または半透過反射板が積層されてなる反射型偏光板または半透過型偏光板、偏光板に更に位相差板が積層されてなる楕円偏光板または円偏光板、偏光板に更に視覚補償フィルムが積層されてなる広視野角偏光板、あるいは偏光板に更に輝度向上フィルムが積層されてなる偏光板が好ましい。
【００４７】
反射型偏光板は、偏光板に反射層を設けたもので、視認側（表示側）からの入射光を反射させて表示するタイプの液晶表示装置などを形成するためのものであり、バックライト等の光源の内蔵を省略できて液晶表示装置の薄型化を図りやすいなどの利点を有する。反射型偏光板の形成は、必要に応じ透明保護層等を介して偏光板の片面に金属等からなる反射層を付設する方式などの適宜な方式にて行うことができる。
【００４８】
反射型偏光板の具体例としては、必要に応じマット処理した透明保護フィルムの片面に、アルミニウム等の反射性金属からなる箔や蒸着膜を付設して反射層を形成したものなどがあげられる。また、前記透明保護フィルムに微粒子を含有させて表面微細凹凸構造とし、その上に微細凹凸構造の反射層を有するものなどもあげられる。前記した微細凹凸構造の反射層は、入射光を乱反射により拡散させて指向性やギラギラした見栄えを防止し、明暗のムラを抑制しうる利点などを有する。また微粒子含有の保護フィルムは、入射光及びその反射光がそれを透過する際に拡散されて明暗ムラをより抑制しうる利点なども有している。透明保護フィルムの表面微細凹凸構造を反映させた微細凹凸構造の反射層の形成は、例えば真空蒸着方式、イオンプレーティング方式、スパッタリング方式やメッキ方式などの適宜な方式で金属を透明保護層の表面に直接付設する方法などにより行うことができる。
【００４９】
反射板は前記の偏光板の透明保護フィルムに直接付与する方式に代えて、その透明フィルムに準じた適宜なフィルムに反射層を設けてなる反射シートなどとして用いることもできる。なお反射層は、通常、金属からなるので、その反射面が透明保護フィルムや偏光板等で被覆された状態の使用形態が、酸化による反射率の低下防止、ひいては初期反射率の長期持続の点や、保護層の別途付設の回避の点などより好ましい。
【００５０】
なお、半透過型偏光板は、上記において反射層で光を反射し、かつ透過するハーフミラー等の半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライト等の内蔵電源を使用して画像を表示するタイプの液晶表示装置などを形成できる。すなわち、半透過型偏光板は、明るい雰囲気下では、バックライト等の光源使用のエネルギーを節約でき、比較的暗い雰囲気下においても内蔵電源を用いて使用できるタイプの液晶表示装置などの形成に有用である。
【００５１】
偏光板に更に位相差板が積層されてなる楕円偏光板または円偏光板について説明する。直線偏光を楕円偏光または円偏光に変えたり、楕円偏光または円偏光を直線偏光に変えたり、あるいは直線偏光の偏光方向を変える場合に、位相差板などが用いられる。特に、直線偏光を円偏光に変えたり、円偏光を直線偏光に変える位相差板としては、いわゆる１／４波長板（λ／４板とも言う）が用いられる。１／２波長板（λ／２板とも言う）は、通常、直線偏光の偏光方向を変える場合に用いられる。
【００５２】
楕円偏光板はスーパーツイストネマチック（ＳＴＮ）型液晶表示装置の液晶層の複屈折により生じた着色（青又は黄）を補償（防止）して、前記着色のない白黒表示する場合などに有効に用いられる。更に、三次元の屈折率を制御したものは、液晶表示装置の画面を斜め方向から見た際に生じる着色も補償（防止）することができて好ましい。円偏光板は、例えば画像がカラー表示になる反射型液晶表示装置の画像の色調を整える場合などに有効に用いられ、また、反射防止の機能も有する。
【００５３】
位相差板としては、高分子素材を一軸または二軸延伸処理してなる複屈折性フィルム、液晶ポリマーの配向フィルム、液晶ポリマーの配向層をフィルムにて支持したものなどがあげられる。位相差板の厚さも特に制限されないが、２０〜１５０μｍ程度が一般的である。
【００５４】
高分子素材としては、たとえば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリアミド、ポリイミド、ポリオレフィン、ポリ塩化ビニル、セルロース系重合体、ノルボルネン系樹脂、またはこれらの二元系、三元系各種共重合体、グラフト共重合体、ブレンド物などがあげられる。これらの高分子素材は延伸等により配向物（延伸フィルム）となる。
【００５５】
液晶ポリマーとしては、たとえば、液晶配向性を付与する共役性の直線状原子団（メソゲン）がポリマーの主鎖や側鎖に導入された主鎖型や側鎖型の各種のものなどをあげられる。主鎖型の液晶ポリマーの具体例としては、屈曲性を付与するスペーサー部でメソゲン基を結合した構造の、例えばネマチック配向性のポリエステル系液晶性ポリマー、ディスコティックポリマーやコレステリックポリマーなどがあげられる。側鎖型の液晶ポリマーの具体例としては、ポリシロキサン、ポリアクリレート、ポリメタクリレート又はポリマロネートを主鎖骨格とし、側鎖として共役性の原子団からなるスペーサー部を介してネマチック配向付与性のパラ置換環状化合物単位からなるメソゲン部を有するものなどがあげられる。これらの液晶ポリマーは、たとえば、ガラス板上に形成したポリイミドやポリビニルアルコール等の薄膜の表面をラビング処理したもの、酸化ケイ素を斜方蒸着したものなどの配向処理面上に液晶性ポリマーの溶液を展開して熱処理することにより行われる。
【００５６】
位相差板は、例えば各種波長板や液晶層の複屈折による着色や視覚等の補償を目的としたものなどの使用目的に応じた適宜な位相差を有するものであって良く、２種以上の位相差板を積層して位相差等の光学特性を制御したものなどであっても良い。
【００５７】
また、上記の楕円偏光板や反射型楕円偏光板は、偏光板又は反射型偏光板と位相差板を適宜な組合せで積層したものである。かかる楕円偏光板等は、（反射型）偏光板と位相差板の組合せとなるようにそれらを液晶表示装置の製造過程で順次別個に積層することによっても形成しうるが、前記の如く予め楕円偏光板等の光学フィルムとしたものは、品質の安定性や積層作業性等に優れて液晶表示装置などの製造効率を向上させうる利点がある。
【００５８】
視覚補償フィルムは、液晶表示装置の画面を、画面に垂直でなくやや斜めの方向から見た場合でも、画像が比較的鮮明にみえるように視野角を広げるためのフィルムである。このような視覚補償位相差板としては、例えば位相差板、液晶ポリマー等の配向フィルムや透明基材上に液晶ポリマー等の配向層を支持したものなどからなる。通常の位相差板は、その面方向に一軸に延伸された複屈折を有するポリマーフィルムが用いられるのに対し、視覚補償フィルムとして用いられる位相差板には、面方向に二軸に延伸された複屈折を有するポリマーフィルムとか、面方向に一軸に延伸され厚さ方向にも延伸された厚さ方向の屈折率を制御した複屈折を有するポリマーや傾斜配向フィルムのような二方向延伸フィルムなどが用いられる。傾斜配向フィルムとしては、例えばポリマーフィルムに熱収縮フィルムを接着して加熱によるその収縮力の作用下にポリマーフィルムを延伸処理又は／及び収縮処理したものや、液晶ポリマーを斜め配向させたものなどがあげられる。位相差板の素材原料ポリマーは、先の位相差板で説明したポリマーと同様のものが用いられ、液晶セルによる位相差に基づく視認角の変化による着色等の防止や良視認の視野角の拡大などを目的とした適宜なものを用いうる。
【００５９】
また、良視認の広い視野角を達成する点などより、液晶ポリマーの配向層、特にディスコチック液晶ポリマーの傾斜配向層からなる光学的異方性層をトリアセチルセルロースフィルムにて支持した光学補償位相差板が好ましく用いうる。
【００６０】
偏光板と輝度向上フィルムを貼り合せた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上フィルムに再入射させ、その一部又は全部を所定偏光状態の光として透過させて輝度向上フィルムを透過する光の増量を図ると共に、偏光子に吸収させにくい偏光を供給して液晶表示画像表示等に利用しうる光量の増大を図ることにより輝度を向上させうるものである。すなわち、輝度向上フィルムを使用せずに、バックライトなどで液晶セルの裏側から偏光子を通して光を入射した場合には、偏光子の偏光軸に一致していない偏光方向を有する光は、ほとんど偏光子に吸収されてしまい、偏光子を透過してこない。すなわち、用いた偏光子の特性よっても異なるが、およそ５０％の光が偏光子に吸収されてしまい、その分、液晶画像表示等に利用しうる光量が減少し、画像が暗くなる。輝度向上フィルムは、偏光子に吸収されるような偏光方向を有する光を偏光子に入射させずに輝度向上フィルムで一反反射させ、更にその後ろ側に設けられた反射層等を介して反転させて輝度向上フィルムに再入射させることを繰り返し、この両者間で反射、反転している光の偏光方向が偏光子を通過し得るような偏光方向になった偏光のみを、輝度向上フィルムは透過させて偏光子に供給するので、バックライトなどの光を効率的に液晶表示装置の画像の表示に使用でき、画面を明るくすることができる。
【００６１】
輝度向上フィルムと上記反射層等の間に拡散板を設けることもできる。輝度向上フィルムによって反射した偏光状態の光は上記反射層等に向かうが、設置された拡散板は通過する光を均一に拡散すると同時に偏光状態を解消し、非偏光状態となる。すなわち、自然光状態の光が反射層等に向かい、反射層等を介して反射し、再び拡散板を通過して輝度向上フィルムに再入射することを繰り返す。このように輝度向上フィルムと上記反射層等の間に、偏光を元の自然光にもどす拡散板を設けることにより表示画面の明るさを維持しつつ、同時に表示画面の明るさのむらを少なくし、均一で明るい画面を提供することができる。かかる拡散板を設けることにより、初回の入射光は反射の繰り返し回数が程よく増加し、拡散板の拡散機能と相俟って均一の明るい表示画面を提供することができたものと考えられる。
【００６２】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの、コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
【００６３】
従って、前記した所定偏光軸の直線偏光を透過させるタイプの輝度向上フィルムでは、その透過光をそのまま偏光板に偏光軸を揃えて入射させることにより、偏光板による吸収ロスを抑制しつつ効率よく透過させることができる。一方、コレステリック液晶層の如く円偏光を透過するタイプの輝度向上フィルムでは、そのまま偏光子に入射させることもできるが、吸収ロスを抑制する点よりその円偏光を、位相差板を介し直線偏光化して偏光板に入射させることが好ましい。なお、その位相差板として１／４波長板を用いることにより、円偏光を直線偏光に変換することができる。
【００６４】
可視光域等の広い波長で１／４波長板として機能する位相差板は、例えば波長５５０ｎｍの淡色光に対して１／４波長板として機能する位相差板と他の位相差特性を示す位相差層、例えば１／２波長板として機能する位相差層とを重畳する方式などにより得ることができる。従って、偏光板と輝度向上フィルムの間に配置する位相差板は、１層または２層以上の位相差層からなるものであってよい。
【００６５】
なお、コレステリック液晶層についても、反射波長が相違するものの組合せにして２層又は３層以上重畳した配置構造とすることにより、可視光域等の広い波長範囲で円偏光を反射するものを得ることができ、それに基づいて広い波長範囲の透過円偏光を得ることができる。
【００６６】
また、偏光板は、上記の偏光分離型偏光板の如く、偏光板と２層又は３層以上の光学層とを積層したものからなっていても良い。従って、上記の反射型偏光板や半透過型偏光板と位相差板を組み合わせた反射型楕円偏光板や半透過型楕円偏光板などであっても良い。
【００６７】
偏光板に前記光学層を積層した光学フィルムは、液晶表示装置等の製造過程で順次別個に積層する方式にても形成することができるが、予め積層して光学フィルムとしたものは、品質の安定性や組立作業等に優れていて液晶表示装置などの製造工程を向上させうる利点がある。積層には粘着層等の適宜な接着手段を用いうる。前記の偏光板と他の光学層の接着に際し、それらの光学軸は目的とする位相差特性などにおうじて適宜な配置角度とすることができる。
【００６８】
前述した偏光板等の光学フィルムには、液晶セル等の他部材と接着するための粘着層を設けることもできる。粘着層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【００６９】
また上記に加えて、吸湿による発泡現象や剥がれ現象の防止、熱膨張差等による光学特性の低下や液晶セルの反り防止、ひいては高品質で耐久性に優れる液晶表示装置の形成性などの点より、吸湿率が低くて耐熱性に優れる粘着層が好ましい。
【００７０】
粘着層は、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの粘着層に添加されることの添加剤を含有していてもよい。また微粒子を含有して光拡散性を示す粘着層などであってもよい。
【００７１】
光学フィルムへの粘着層の付設は、適宜な方式で行いうる。その例としては、例えばトルエンや酢酸エチル等の適宜な溶剤の単独物又は混合物からなる溶媒にベースポリマーまたはその組成物を溶解又は分散させた１０〜４０重量％程度の粘着剤溶液を調製し、それを流延方式や塗工方式等の適宜な展開方式で偏光板上または光学フィルム上に直接付設する方式、あるいは前記に準じセパレータ上に粘着層を形成してそれを偏光板上または光学フィルム上に移着する方式などがあげられる。
【００７２】
粘着層は、異なる組成又は種類等のものの重畳層として光学フィルムに設けることもできる。粘着層の厚さは、使用目的や接着力などに応じて適宜に決定でき、一般には１〜５００μｍであり、５〜２００μｍが好ましく、特に１０〜１００μｍが好ましい。
【００７３】
粘着層の露出面に対しては、実用に供するまでの間、その汚染防止等を目的にセパレータが仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００７４】
なお本発明において、上記した光学フィルム等、また粘着層などの各層には、例えばサリチル酸エステル系化合物やベンゾフェノール系化合物、ベンゾトリアゾール系化合物やシアノアクリレート系化合物、ニッケル錯塩系化合物等の紫外線吸収剤で処理する方式などの方式により紫外線吸収能をもたせたものなどであってもよい。
【００７５】
本発明の光学フィルムは液晶表示装置等の各種画像表示装置の形成などに好ましく用いることができる。液晶表示装置の形成は、従来に準じて行いうる。すなわち液晶表示装置は一般に、液晶セルと光学フィルム、及び必要に応じての照明システム等の構成部品を適宜に組み立てて駆動回路を、従来に準じて組み込むことなどにより形成される。液晶セルについても、例えばＴＮ型やＳＴＮ型、π型などの任意なタイプなどの任意なタイプのものを用いうる。
【００７６】
液晶セルの片側又は両側に光学フィルムを配置した液晶表示装置や、照明システムにバックライトあるいは反射板を用いたものなどの適宜な液晶表示装置を形成することができる。その場合、本発明による光学フィルムは液晶セルの片側又は両側に設置することができる。両側に光学フィルムを設ける場合、それらは同じものであっても良いし、異なるものであっても良い。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【００７７】
次いで有機エレクトロルミネセンス装置（有機ＥＬ表示装置）について説明する。本発明の光学フィルム（偏光板等）は、有機ＥＬ表示装置においても適用できる。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組合せをもった構成が知られている。
【００７８】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【００７９】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００８０】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【００８１】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【００８２】
位相差板および偏光板は、外部から入射して金属電極で反射してきた光を偏光する作用を有するため、その偏光作用によって金属電極の鏡面を外部から視認させないという効果がある。特に、位相差板を１／４波長板で構成し、かつ偏光板と位相差板との偏光方向のなす角をπ／４に調整すれば、金属電極の鏡面を完全に遮蔽することができる。
【００８３】
すなわち、この有機ＥＬ表示装置に入射する外部光は、偏光板により直線偏光成分のみが透過する。この直線偏光は位相差板により一般に楕円偏光となるが、とくに位相差板が１／４波長板でしかも偏光板と位相差板との偏光方向のなす角がπ／４のときには円偏光となる。
【００８４】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【実施例】
【００８５】
以下に、実施例によって本発明を具体的に説明するが、本発明はこれら実施例によって限定されるものではない。なお、各例中の部および％はいずれも重量基準である。
【００８６】
比較例１
（光学フィルムの作製）
厚さ８０μｍのポリビニルアルコールフィルムを３５℃のヨウ素水溶液（濃度０．３重量％）中で５倍に延伸したのち５０℃で４分間乾燥させて偏光子を得た。この偏光子の片側に厚さ８０μｍのトリアセチルセルロースフィルムを、ポリビニルアルコール系接着剤を用いて接着した。一方、偏光子のもう一方の片側には、厚さ８０μｍのトリアセチルセルロースフィルムに防眩処理層（厚さ１０μｍ）を形成したものを、ポリビニルアルコール系接着剤を用いて接着し、厚さ１００μｍの偏光板を作製した。防眩処理層は、紫外線硬化型のウレタンアクリレートモノマー１００部およびベンゾフェノン系光重合開始剤３部からなる紫外線硬化型樹脂組成物に、平均粒径１．８μｍのシリカ粒子１０部を加え、さらに粘度調整用溶剤として酢酸エチルを添加して固形分濃度５０％に調整し、高速撹拌機にて混合して得られた混合溶液を、塗布、溶剤揮発後、紫外線を照射し硬化処理することにより形成した。さらに、得られた偏光板の防眩処理層の反対側にアクリル系粘着剤を塗布し、乾燥して厚さ２５μｍの粘着層を形成して、粘着剤層付きの偏光板とした。
【００８７】
（表面保護フィルムの作製）
＜粘着剤の調製＞２−エチルヘキシルアクリレート、メチルメタクリレートおよび２−ヒドロキシエチルアクリレートのアクリル系ポリマー（重量比：６８／２９／３，重量平均分子量４０万）の２５％酢酸エチル溶液を調製した。固形分換算で、前記アクリル系ポリマー１００重量部に対してトリメチロールプロパントリレンジイソシアネート３重量部を添加、混合し、アクリル系粘着剤組成物を調製した。
【００８８】
厚さ３８μｍのポリエチレンテレフタレートフィルムの片面に、上記アクリル系粘着剤組成物を乾燥後の厚さが１５μｍになるように塗布し、１２０℃で２分間乾燥して粘着剤層を形成し、表面保護フィルムを得た。
【００８９】
（表面保護フィルム付光学フィルム）
上記偏光板の防眩処理層側に、上記表面保護フィルムの粘着剤層側を貼付けて、表面保護フィルム付光学フィルムを作製した。
【００９０】
比較例２
比較例１（表面保護フィルムの作製）において、粘着剤中に、イオン系帯電防止剤としてステアリルトリメチルアンモニウムクロライドを、アクリル系ポリマーに対して１重量％加えて粘着剤を調製したこと以外は比較例１と同様にして、表面保護フィルムを作製した。また当該表面保護フィルムを用いたこと以外は比較例１と同様にして表面保護フィルム付光学フィルムを作製した。
【００９１】
比較例３
比較例１（表面保護フィルムの作製）において、粘着剤中に、イオン系帯電防止剤としてステアリルトリメチルアンモニウムクロライドを、アクリル系ポリマーに対して２．５重量％加えて粘着剤を調製したこと以外は比較例１と同様にして、表面保護フィルムを作製した。また当該表面保護フィルムを用いたこと以外は比較例１と同様にして表面保護フィルム付光学フィルムを作製した。
【００９２】
実施例１
比較例１で作成した偏光板の防眩処理層側を、１０％水酸化ナトリウム水溶液によって、６５℃で３０秒間、浸漬によりケン化処理した。また表面保護フィルムは、比較例２で得られたものを用いた。上記偏光板の防眩処理層側に、上記表面保護フィルムの粘着剤層側を貼付けて、表面保護フィルム付光学フィルムを作製した。
【００９３】
実施例２
比較例１で作成した偏光板の防眩処理層側を、１０％水酸化ナトリウム水溶液によって、６５℃で１２０秒間、浸漬によりケン化処理した。また表面保護フィルムは、比較例２で得られたものを用いた。上記偏光板の防眩処理層側に、上記表面保護フィルムの粘着剤層側を貼付けて、表面保護フィルム付光学フィルムを作製した。
【００９４】
実施例３
比較例１で作成した偏光板の防眩処理層側を、ライン速：５ｍ／ｍｉｎ、０．７ｋＷによってコロナ処理した。また表面保護フィルムは、比較例２で得られたものを用いた。上記偏光板の防眩処理層側に、上記表面保護フィルムの粘着剤層側を貼付けて、表面保護フィルム付光学フィルムを作製した。
【００９５】
実施例４
比較例１で作成した偏光板の防眩処理層側を、ライン速：５ｍ／ｍｉｎ、１．４ｋＷによってコロナ処理した。また表面保護フィルムは、比較例２で得られたものを用いた。上記偏光板の防眩処理層側に、上記表面保護フィルムの粘着剤層側を貼付けて、表面保護フィルム付光学フィルムを作製した。
【００９６】
実施例および比較例で得られた表面保護フィルム付光学フィルムについて下記評価を行なった。作製後、２３℃／５０％ＲＨの雰囲気下で１０日間調湿したものをサンプルとした。結果を表１に示す。
【００９７】
[剥離帯電量測定]
サンプルを７０ｍｍ×１００ｍｍに切り出し、同サイズの無アルカリガラス（０．７ｍｍ厚）板に貼り合わせた後、２３℃／５０％ＲＨの雰囲気下において、１０ｍ／ｍｉｎの速度で表面保護フィルムを剥離した。その際、サンプルの中心部に発生した剥離帯電の最大値を剥離帯電量（ｋＶ）とした。剥離帯電量は春日電機製ＫＳＤ−０１０３を使用し、測定点との距離は１０ｃｍとした。評価は下記基準による。
◎：０．５ｋＶ未満。
○：０．５〜２ｋＶ未満。
△：２〜２．５ｋＶ未満。
×：２．５ｋＶ以上。
【００９８】
［帯電防止剤転写量］
サンプル（７０ｍｍ×７０ｍｍ）から表面保護フィルムをピンセットで剥離し、保護フィルムが貼り合わせてあった面側を超純水で洗い流し、回収した液を分析試料とした。この試料をイオンクロマトグラフィー（Ｄｉｏｎｅｘ製：ＤＸ−５００，カラム：Ｄｉｏｎｅｘ製ＩｏｎＰａｃＡＧ１２Ａ＋ＡＳ１２Ａ、溶離液：２．７ｍｍ−Ｎａ2ＣＯ3／０．３ｍｍ−ＮａＨＣＯ3）により試料中に含まれる塩素イオン濃度から、偏光板に転写された帯電防止剤量を定量した。測定はｎ＝２で行い、その平均値を転写量（ｇ／ｍ2）とした。
【００９９】
［粘着力試験］
サンプルを５０ｍｍ幅に切り出した。偏光板側（粘着剤層側）を固定し、引っ張り試験機を用いて引っ張り速度３００ｍｍ／ｍｉｎ、引っ張り角度１８０°で、表面保護フィルムを偏光板から剥離した。剥離する際に要した力を粘着力（Ｎ／５０ｍｍ）とした。粘着力は、０．０１〜２Ｎ／５０ｍｍの範囲、さらには０．０５〜１Ｎ／５０ｍｍの範囲に表面保護機能と剥離性の点で制御されており好ましい。
【０１００】
【表１】
0004756626.tif 000002
表１に示すように、実施例は、ケン化処理やコロナ処理によって偏光板表面を活性化することにより、表面保護フィルムの粘着剤層に含有させる帯電防止剤の転写量を制御できるため、当該粘着剤層に含有させる帯電防止剤をより少ない添加量で剥離帯電を十分に低減できる。また、表面汚染性や粘着性についても満足することができる。一方、比較例２のように偏光板表面に活性化処理を施さず、表面保護フィルムの粘着剤層に含有させる帯電防止剤が実施例と同様に少ない場合には剥離帯電量が大きくなる。また、比較例３のように、偏光板表面に活性化処理を施さず、表面保護フィルムの粘着剤層に含有させる帯電防止剤を多くすれば剥離帯電量は小さくなるが、帯電防止剤の転写量が多くなり汚染性の問題を制御できない。また粘着性の制御も難しい。
【図面の簡単な説明】
【０１０１】
【図１】本発明の表面保護フィルム付光学フィルムの断面図の一例である。
【符号の説明】
【０１０２】
１    表面保護フィルム
１１  基材フィルム
１２  表面保護フィルムの粘着剤層
２    偏光板（光学フィルム）
２１  偏光子
２２  偏光子の保護フィルム
２３  偏光子の保護フィルム
３    光学フィルムの粘着剤層
【図１】
0004756626.tif 000003